(57)【要約】      （修正有）【課題】無線通信のチャンネル状態に応じた映像信号に変換して送信する無線映像接続装置を提供する。【解決手段】ソース機器の映像を無線で伝送する第１無線映像接続装置１００と、映像を受信してディスプレイ機器へ伝送する第２無線映像接続装置２００とを備える。第１無線映像接続装置でチャンネル状態の情報によって、原本映像の品質水準を調節して変換映像を生成し、第２無線映像接続装置で変換映像を原本映像のフォーマットに復元して復元映像を生成する。【選択図】図１
2019176374.tif 000002
【特許請求の範囲】
【請求項１】
ソース機器の映像を無線で伝送する第１無線映像接続装置と、映像を受信し、ディスプレイ機器へ伝送する第２無線映像接続装置とを備える無線映像接続装置において、
前記第１無線映像接続装置は、
ソース機器の原本映像を受信する第１固定映像処理部と、
原本映像の品質水準を調節して変換映像を生成する映像変換部と、
前記原本映像、または前記変換映像を無線で伝送する第１高速通信部と、
前記第２無線映像接続装置からチャンネル状態の情報を受信する第１低速通信部と、
前記チャンネル状態の情報に対応して映像変換部の動作を制御する映像送信制御部とを備え、
ディスプレイ機器における映像切れを防止することを特徴とする、無線映像接続装置。
【請求項２】
前記映像送信制御部は、チャンネル状態の情報に含まれたチャンネル状態の測定値と、チャンネル状態による基準値とを比較し、原本映像の品質水準を決定することを特徴とする、請求項１に記載の無線映像接続装置。
【請求項３】
前記映像変換部は、原本映像の解像度（ｒｅｓｏｌｕｔｉｏｎ）や、再生率（ｒｅｆｒｅｓｈ  ｒａｔｅ）、色深度（ｃｏｌｏｒ  ｄｅｐｔｈ）および色フォーマット（ｃｏｌｏｒ  ｆｏｒｍａｔ）のうち、１つ以上を、決定された品質水準に調節して変換映像を生成することを特徴とする、請求項２に記載の無線映像接続装置。
【請求項４】
前記映像送信制御部は、チャンネル状態の測定値と基準値とを比較して、映像変換部の動作、ビームフォーミングおよびダイバーシティ動作、そして送信パワー動作のうち、１つ以上の遂行可否を決定することを特徴とする、請求項２に記載の無線映像接続装置。
【請求項５】
前記基準値は、原本映像伝送の基準となる第１基準値と、変換映像伝送の基準となる第２基準値と、ビームフォーミングおよびダイバーシティ動作遂行の基準となる第３基準値とから構成されるが、
前記第１基準値ないし前記第３基準値は、段階別の送信パワーを調節するのに基準となる値であることを特徴とする、請求項４に記載の無線映像接続装置。
【請求項６】
ソース機器の映像を無線で伝送する第１無線映像接続装置と、映像を受信し、ディスプレイ機器へ伝送する第２無線映像接続装置とを備える無線映像接続装置において、
前記第２無線映像接続装置は、
ソース機器の原本映像、または原本映像の映像品質が調節された変換映像を受信する第２高速通信部と、
前記変換映像を原本映像のフォーマットに復元する映像復元部と、
前記原本映像、または前記復元映像をディスプレイ機器へ伝送する第２固定映像処理部と、
前記第１無線映像接続装置から映像フォーマットの情報を受信する第２低速通信部と、
前記映像フォーマットの情報に対応して、映像復元部の動作を制御する映像受信制御部とを備え、
ディスプレイ機器における映像切れを防止することを特徴とする、無線映像接続装置。
【請求項７】
前記映像受信制御部は、第２高速通信部の受信強度および映像のビット誤り率を用いてチャンネル状態の情報を生成し、
前記第２低速通信部は、チャンネル状態の情報を無線で伝送することを特徴とする、請求項６に記載の無線映像接続装置。
【請求項８】
前記映像受信制御部は、チャンネル環境に対応して、原本映像や復元映像、メモリーに保存されている停止画面、または前のフレーム画面のうち、１つをディスプレイ機器へ伝送するように制御することを特徴とする、請求項６に記載の無線映像接続装置。
【発明の詳細な説明】
【技術分野】
【０００１】
本発明は、無線映像接続装置に関するものであり、さらに詳細には、ソース機器の映像を無線で伝送する第１無線映像接続装置、および映像を無線で受信し、ディスプレイ機器へ伝送する第２無線映像接続装置を通して、ディスプレイ機器でソース機器の映像を再生する技術に関するものである。
【背景技術】
【０００２】
無線技術が発達するに従い、スマートフォンやデスクトップパソコン、またはコンソールなどのソース機器と、大型ディスプレイ機器やＨＭＤ（Ｈｅａｄ  Ｍｏｕｎｔｅｄ  Ｄｉｓｐｌａｙ）機器などのディスプレイ機器とが無線で接続され、ユーザーがディスプレイ機器でソース機器の映像を楽しむことができるようになっているものの、無線チャンネルの環境による圏外やフェーディング、電波減衰、雑音、または干渉により、映像データが損失され、途切れる現象が発生する。
【０００３】
従来は、映像データの損失を減少させるため、チャンネルの状態をモニタリングし、それに対応して映像のコーディングレートを適応的に可変した。
【０００４】
また、従来は、ソース機器とディスプレイ機器との間に、映像ストリームを伝送するための第１通信区間、およびチャンネルの状態をモニタリングするための付加データを伝送するための第２通信区間が形成された。付加データとは、チャンネルの状態をモニタリングする過程、およびソース機器とディスプレイ機器との間の映像フォーマットを一致させるための過程のために用いられるデータである。万一、ソース機器とディスプレイ機器との間の映像フォーマットが一致しなければ、ディスプレイ機器でソース機器の映像を再生することができない。
【０００５】
しかしながら、従来は、ソース機器とディスプレイ機器との間で、付加データを伝送・受信し、無線チャンネルによる映像の品質を調節してセットする過程によって、ディスプレイ機器における映像切れが発生し、その結果、ユーザーの映像に対する没入感が減少するという問題があった。一例に、ディスプレイ機器では、映像フォーマットを変更してセットする際に切替区間が発生し、映像切れが発生する。
【０００６】
また、一部のディスプレイ機器には、映像フォーマットを変更する機能、または有線・無線通信を提供する機能が含まれているが、他の一部のディスプレイ機器には、固定映像フォーマットのみを提供する機能、または有線通信のみを提供する機能が含まれているため、かかるディスプレイ機器は、従来の無線チャンネルの環境による映像フォーマット変更技術を適用し難いという問題があった。
【発明の概要】
【発明が解決しようとする課題】
【０００７】
本発明は、上記の問題を解決するため、第１無線映像接続装置でチャンネル状態の情報によって原本映像の品質水準を調節して変換映像を生成し、第２無線映像接続装置で変換映像を原本映像のフォーマットに復元し、復元映像を生成する無線映像接続装置を提供する。
【０００８】
本発明は、第１無線映像接続装置と第２無線映像接続装置のそれぞれに固定映像処理部が備えられて、ソース機器から固定フォーマットで映像を伝送し、ディスプレイ機器で固定フォーマットで映像を受信する無線映像接続装置を提供する。
【０００９】
また、本発明は、チャンネル状態の情報を、映像の品質水準を決定するのに用いるだけでなく、ビームフォーミングとダイバーシティ動作、および送信パワーの調整動作の遂行可否を決定する際に用いる無線映像接続装置を提供する。
【課題を解決するための手段】
【００１０】
上記のような課題を解決するため、本発明の実施例にかかる無線映像接続装置は、ソース機器の映像を無線で伝送する第１無線映像接続装置と、映像を無線で受信し、ディスプレイ機器へ伝送する第２無線映像接続装置とを備え、前記第１無線映像接続装置は、ソース機器の原本映像を受信する第１固定映像処理部と、原本映像の品質水準を調節して変換映像を生成する映像変換部と、前記原本映像、または変換映像を無線で伝送する第１高速通信部と、前記第２無線映像接続装置からチャンネル状態の情報を受信する第１低速通信部と、前記チャンネル状態の情報に対応して映像変換部の動作を制御する映像送信制御部とを備え、ディスプレイ機器における映像切れを防止することを特徴とする。
【００１１】
前記映像送信制御部は、チャンネル状態の情報に含まれたチャンネル状態の測定値と、チャンネル状態による基準値とを比較し、原本映像の品質水準を決定することを特徴とする。
【００１２】
前記映像変換部は、原本映像の解像度（ｒｅｓｏｌｕｔｉｏｎ）や、再生率（ｒｅｆｒｅｓｈ  ｒａｔｅ）、色深度（ｃｏｌｏｒ  ｄｅｐｔｈ）、および色フォーマット（ｃｏｌｏｒ  ｆｏｒｍａｔ）のうち、１つ以上を、決定された品質水準に調節して変換映像を生成することを特徴とする。
【００１３】
前記映像送信制御部は、チャンネル状態の測定値と基準値とを比較して、映像変換部の動作や、ビームフォーミングとダイバーシティ動作、および送信パワー動作のうち、１つ以上の遂行可否を決定することを特徴とする。
【００１４】
前記基準値は、原本映像伝送の基準となる第１基準値と、変換映像伝送の基準となる第２基準値と、ビームフォーミングおよびダイバーシティ動作遂行の基準となる第３基準値とから構成されるが、前記第１基準値ないし第３基準値は、段階別の送信パワーを調節するのに基準となる値であることを特徴とする。
【００１５】
本発明の他の実施例にかかる無線映像接続装置は、ソース機器の映像を無線で伝送する第１無線映像接続装置と、映像を無線で受信し、ディスプレイ機器へ伝送する第２無線映像接続装置とを備え、前記第２無線映像接続装置は、ソース機器の原本映像、または原本映像の映像品質が調節された変換映像を受信する第２高速通信部と、前記変換映像を原本映像のフォーマットに復元する映像復元部と、前記原本映像、または復元映像をディスプレイ機器へ伝送する第２固定映像処理部と、前記第１無線映像接続装置から映像フォーマットの情報を受信する第２低速通信部と、前記映像フォーマットの情報に対応して、映像復元部の動作を制御する映像受信制御部とを備え、ディスプレイ機器における映像切れを防止することを特徴とする。
【００１６】
前記映像受信制御部は、第２高速通信部の受信強度および映像のビット誤り率（ＢＥＲ：Ｂｉｔ  Ｅｒｒｏｒ  Ｒａｔｅ）を用いてチャンネル状態の情報を生成し、前記第２低速通信部は、チャンネル状態の情報を無線で伝送することを特徴とする。
【００１７】
前記映像受信制御部は、チャンネル環境に対応して、原本映像や復元映像、メモリーに保存されている停止画面、または前のフレーム画面のうち、１つをディスプレイ機器へ伝送するよう、制御することを特徴とする。
【発明の効果】
【００１８】
本発明は、第１無線映像接続装置でチャンネル状態の情報によって、原本映像の品質水準を調節して変換映像を生成し、第２無線映像接続装置で変換映像を原本映像のフォーマットに復元して復元映像を生成する無線映像接続装置を提供することによって、有線通信のみを提供するディスプレイ機器においても無線でソース機器の映像を再生することができ、固定映像フォーマットのみを提供するディスプレイ機器においてもチャンネルの状態によって品質水準が調節された復元映像を再生することができて、ディスプレイ機器における映像切れを防止することができる著しい効果を有する。
【００１９】
また、本発明は、第１無線映像接続装置と第２無線映像接続装置のそれぞれに固定映像処理部が備えられて、ソース機器から固定フォーマットで映像を伝送し、ディスプレイ機器で固定フォーマットで映像を受信することによって、ソース機器とディスプレイ機器との間の映像フォーマットおよび品質水準を一致させるためのハンドシェイク過程を除去することができる著しい効果を有する。
【００２０】
さらに本発明は、チャンネル状態の情報を、映像の品質水準を決定するのに用いるだけでなく、ビームフォーミングおよびダイバーシティ動作、そして送信パワーの調整動作を安定して遂行するように支援する無線映像接続装置を提供することによって、ディスプレイ機器における映像切れを防止することができ、ビームフォーミングおよびダイバーシティ動作を安定して行うことができて、送信パワーを効率的に調節することができる著しい効果を有する。
【図面の簡単な説明】
【００２１】
【図１】本発明の実施例にかかる無線映像接続装置を示すブロック図である。
【図２】図１の無線映像接続装置のアンテナ構造を示す例である。
【図３】映像の解像度に対して求められるビット誤り率の環境条件を表すグラフを示す例である。
【図４】従来の単一の無線通信区間が形成されたソース機器とディスプレイ機器を示す例である。
【図５】従来の２つの無線通信区間が形成されたソース機器とディスプレイ機器を示す例である。
【図６】図２の無線映像接続装置で変換映像を伝送する様子を示す例である。
【発明を実施するための形態】
【００２２】
図１は、本発明の実施例にかかる無線映像接続装置を示すブロック図であって、無線映像接続装置は、ソース機器３００の映像を無線で伝送する第１無線映像接続装置１００と、映像を無線で受信し、ディスプレイ機器４００へ伝送する第２無線映像接続装置２００とを備える。無線映像接続装置は、ソース機器３００とディスプレイ機器４００にそれぞれ接続され、有線通信のみを提供するディスプレイ機器４００においても本無線映像接続装置を使用して無線でソース機器の映像を再生することができる。
【００２３】
第１無線映像接続装置１００は、第１固定映像処理部１１０と、映像変換部１２０と、第１ベースバンド信号処理部１３０と、第１高速通信部１４０と、第１低速通信部１５０と、映像送信制御部１６０とを備える。
【００２４】
第１固定映像処理部１１０は、ソース機器３００の原本映像を受信し、映像変換部１２０は、原本映像の品質水準を調節して変換映像を生成する。原本映像は、高品質の最適化された映像であり、またはソース機器３００若しくはディスプレイ機器４００で支援されるフォーマットの映像である。変換映像は、品質水準が調節された劣化映像であり、チャンネルの環境に対応する数段階の品質水準の映像に区分される。
【００２５】
第１ベースバンド信号処理部１３０は、原本映像または変換映像を、ミリメートル波またはテラヘルツ波などの搬送波に乗せる前に、データをデジタル処理する。
【００２６】
第１高速通信部１４０は、原本映像または変換映像を搬送波に乗せて無線で伝送し、第１低速通信部１５０は、第２無線映像接続装置２００の第２低速通信部２５０からチャンネル状態の情報を受信し、または第１無線映像接続装置１００のチャンネル状態を送信して、映像送信制御部１６０は、チャンネル状態の情報に対応して映像変換部１２０の動作を制御する。
【００２７】
映像送信制御部１６０は、チャンネル状態の情報に含まれたチャンネル状態の測定値と、チャンネル状態による基準値とを比較して、映像変換部１２０の動作遂行可否を決定し、映像変換部１２０の動作遂行が決定されると、原本映像の品質水準を決定する。
【００２８】
映像変換部１２０は、原本映像の解像度（ｒｅｓｏｌｕｔｉｏｎ）や、再生率（ｒｅｆｒｅｓｈ  ｒａｔｅ）、色深度（ｃｏｌｏｒ  ｄｅｐｔｈ）および色フォーマット（ｃｏｌｏｒ  ｆｏｒｍａｔ）のうち、１つ以上を、決定された品質水準に調節して変換映像を生成する。解像度とは、１つの画面におけるピクセルの数を表すものであって、一般的に横×縦のピクセルの形で表示される。例えば、解像度は、ＨＤを表す１２８０×７２０、ＦＨＤを表す１９２０×１０８０、４ｋを表す３８４０×２１６０、８ｋを表す７６８０×４３２０に区分して表示する。再生率とは、１秒の間、画面表面に電子ビームを照射する回数である。例えば、６０Ｈｚの再生率は、１秒に電子ビームを６０回照射することを意味する。色深度とは、ビット数で色の数を表現する。例えば、ＲＧＢそれぞれが８ビットである場合、色深度は２４ビットになる。色フォーマットとは、テレビやコンピュータといった電子システムにおいてイメージを感知・表現・表示することを表す。色フォーマットの種類は、最も基本となるＲＧＢフォーマットと、特定のアナログ、またはデジタルテレビ、または写真装備などに特化されたＹＵＶフォーマットに区分される。ＹＵＶ４４４のＹＣｂＣｒ４４４は、輝度差を表すＹが４バイトであると、青色差を表すＵと、赤色差を表すＶは、それぞれ４バイトとなる。
【００２９】
映像送信制御部１６０は、チャンネル状態の測定値と基準値とを比較して、映像変換部１２０の動作、ビームフォーミングおよびダイバーシティ動作、そして送信パワーの調整動作のうち、１つ以上の遂行可否を決定する。基準値は、原本映像伝送の基準となる第１基準値と、変換映像伝送の基準となる第２基準値と、ビームフォーミングおよびダイバーシティ動作遂行の基準となる第３基準値とから構成される。第１基準値は、第２基準値および第３基準値より大きく、第２基準値は、数段階の品質水準に区分される水準別の品質基準値で構成され、第３基準値は、第２基準値における下位レベルの品質基準値を含む。
【００３０】
映像送信制御部１６０は、チャンネルの測定値≧第１基準値であると、原本映像が無線で伝送されるように制御し、チャンネルの測定値が第２基準値の範囲内に含まれると、チャンネルの測定値と水準別の品質基準値とを比較して、原本映像の品質水準を決定する。また、映像送信制御部１６０は、チャンネルの測定値が第３基準値より小さいと、ビームフォーミングおよびダイバーシティ動作が行われるように制御し、ビームフォーミングおよびダイバーシティ動作の遂行が決定されると、映像送信制御部１６０は、チャンネル探索を要請する情報を含む制御情報を生成し、第１低速通信部１５０は、制御情報を無線で伝送する。
【００３１】
第１基準値ないし第３基準値は、段階別の送信パワーを調節する際に基準となる値である。映像送信制御部１６０は、チャンネル状態の測定値≧第１基準値であると、送信パワーをローパワーに維持するように制御し、状態の測定値が第２基準値内に含まれると、送信パワーをハイパワーに調節するように制御して、状態の測定値が第３基準値より小さいと、送信パワーをウルトラハイパワーに調節するように制御する。映像送信制御部１６０は、電力効率のために段階をさらに細分化し、送信パワーの出力レベルを調節して動作することもできる。
【００３２】
映像送信制御部１６０は、ビームフォーミングおよびダイバーシティ動作、または送信パワーの調整動作が行われる前に映像変換部１２０の動作が先に行われるように制御する。本発明は、ビームフォーミングおよびダイバーシティ動作、または送信パワーの調整動作が行われる前に映像変換部１２０の動作が先に行われるように制御することによって、ディスプレイ機器４００において、映像が切れることなく再生でき、ビームフォーミングおよびダイバーシティ動作、または送信パワーの調整動作を安定して行うことができる。
【００３３】
映像送信制御部１６０は、ビームフォーミングおよびダイバーシティ動作により、第１基準値に対応するチャンネルの状態へと良くなると、高品質の原本映像が伝送されるように制御し、送信パワーの調整動作を行った後、高品質の原本映像が伝送されるようにして、送信パワーを安定して制御することができる。
【００３４】
本発明は、基準値を、第１基準値ないし第３基準値に区分し、基本的に原本映像を数段階の品質水準に変換した変換映像を生成することができ、付加的にビームフォーミングおよびダイバーシティ動作、そして送信パワーの調整動作を行うのに基準となる基準値として使用し、ディスプレイ機器における映像切れを防止することができる。
【００３５】
第２無線映像接続装置２００は、第２固定映像処理部２１０と、映像復元部２２０と、第２ベースバンド信号処理部２３０と、第２高速通信部２４０と、第２低速通信部２５０と、映像受信制御部２６０とを備える。第１無線映像接続装置１００は、ディスプレイ機器４００に接続されて第２無線映像接続装置２００の動作を行うことができ、第２無線映像接続装置２００は、ソース機器３００に接続され、第１無線映像接続装置１００の動作を行うことができる。
【００３６】
第２高速通信部２４０は、ソース機器３００の原本映像、または原本映像の品質が調節された変換映像を無線で受信し、第２ベースバンド信号処理部２３０は、搬送波に乗った原本映像、または変換映像をベースバンドの信号に変換する。
【００３７】
映像復元部２２０は、変換映像を原本映像のフォーマットに復元し、第２固定映像処理部２１０は、原本映像、または復元映像をディスプレイ機器４００に伝送する。第２低速通信部２５０は、第１無線映像接続装置１００の第１低速通信部１５０から映像フォーマットの情報を受信し、映像受信制御部２６０は、映像フォーマットの情報に対応して映像復元部２２０の動作を制御する。例えば、映像復元部２２０は、解像度を復元する際に、１つのピクセルを複数個にスケーリングして復元動作を行うことができる。
【００３８】
映像送信制御部２６０は、チャンネルの測定値が基準値より小さいと、ビームフォーミングおよびダイバーシティ動作を行うように制御する。映像送信制御部２６０は、ビームフォーミングおよびダイバーシティ動作の遂行が決定されると、チャンネル探索を要請する情報を含む制御情報を生成し、第１低速通信部２５０は、制御情報を無線で伝送する。
【００３９】
映像受信制御部２６０は、第２高速通信部の受信強度および映像のビット誤り率を用いてチャンネル状態の情報を生成し、第２低速通信部２５０は、チャンネル状態の情報を無線で伝送する。受信強度とビット誤り率が、チャンネル測定値になり得る。
【００４０】
映像受信制御部２６０は、チャンネルの環境に対応して、原本映像、復元映像、およびメモリーに保存されている停止画面のうち、１つをディスプレイ機器へ伝送するように制御する。
【００４１】
図２は、図１の無線映像接続装置のアンテナ構造を示す例であって、第１無線映像接続装置１００と第２無線映像接続装置２００のそれぞれに備えられた高速通信部１４０、２４０は、高容量の映像データを伝送し、映像データの損失を最小化して、ビームフォーミングおよびダイバーシティ動作のため、多重アンテナが設けられる。第１無線映像接続装置１００と第２無線映像接続装置２００のそれぞれに備えられた低速通信部１５０、２５０は、チャンネル状態の情報共有、映像フォーマットの情報伝送、またはチャンネルの探索要請の情報伝送など、低用量の情報を伝送するため、単一アンテナが設けられる。無線映像接続装置は、チャンネルの状態に対応してアンテナ別のダイバーシティを行うことができ、アンテナのビーム方向別のビームフォーミングを行うことができる。
【００４２】
映像変換部１２０は、原本映像をチャンネルの環境に適合した品質水準に調節して変換映像を生成し、第１高速通信部１４０は、６０ＧＨｚ帯域などのミリメートル波の周波数を使用した高速無線チャンネルで変換映像を変調して伝送することができる。
【００４３】
図３は、映像の解像度に対して求められるビット誤り率の環境条件を表すグラフを示す例であって、第２基準値は、数段階の品質水準に区分される水準別の品質基準値で構成される。例えば、ビットエラーが１ｂｉｔ／ｆｒａｍｅ以内に発生する映像伝送環境を基準にして、無線伝送の環境条件が１０−７ＢＥＲでは、ＨＤ（２４ｂ、４２０）級の映像を伝送することが可能であり、２×１０−９ＢＥＲ以下の環境では、８ｋ（４８ｂ、４４４）級の映像を伝送することが可能である。
【００４４】
図４は、従来の単一の無線通信区間が形成されたソース機器とディスプレイ機器を示す例であって、従来は、ディスプレイ機器４００が固定映像フォーマットのみを提供する機能を有していたため、チャンネルの環境に対応し、適応的に映像の品質水準を調節することができなく、ディスプレイ機器４００における映像切れが発生したり、ブラック画面が発生したりする問題があった。
【００４５】
図５は、従来の２つの無線通信区間が形成されたソース機器とディスプレイ機器を示す例であって、従来は、ソース機器とディスプレイ機器との間に、映像ストリームを伝送するための第１通信区間、およびチャンネルの状態をモニタリングするための付加データを伝送するための第２通信区間が形成された。付加データとは、チャンネルの状態をモニタリングする過程、およびソース機器とディスプレイ機器との間の映像フォーマットを一致させるための過程のために用いられるデータである。万一、ソース機器とディスプレイ機器との間の映像フォーマットが一致しなければ、ディスプレイ機器でソース機器の映像を再生することができない。
【００４６】
従来は、ソース機器とディスプレイ機器との間において、付加データを伝送・受信し、無線チャンネルによる映像の品質を調節してセットする過程により、ディスプレイ機器における映像切れが発生し、その結果、ユーザーの映像に対する没入感が減少するという問題があった。例えば、ディスプレイ機器では、映像フォーマットを変更してセットする際に切替区間が発生し、映像切れが発生する。
【００４７】
図６は、図２の無線映像接続装置で変換映像を伝送することを示す例であって、ｇｏｏｄ  ｃｈａｎｎｅｌは第１基準値に対応し、ｎｏｔ  ｇｏｏｄ  ｃｈａｎｎｅｌは第２基準値、または第３基準値に対応して、ｂａｄ  ｃｈａｎｎｅｌは第３基準値未満に対応する。
【００４８】
従来技術にかかる図４と図５、および本発明の実施例にかかる図６を比較すると、本発明は、第１無線映像接続装置１００でチャンネル状態の情報によって原本映像の品質水準を調節して変換映像を生成し、第２無線映像接続装置２００で変換映像を原本映像のフォーマットに復元して復元映像を生成する無線映像接続装置を提供することにより、有線通信のみを提供するディスプレイ機器４００においても無線でソース機器の映像を再生することができ、固定映像フォーマットのみを提供するディスプレイ機器４００においてもチャンネルの状態によって品質水準が調節された復元映像を生成することができて、ディスプレイ機器４００における映像切れを防止することができる。
【００４９】
本発明は、第１無線映像接続装置１００と第２無線映像接続装置２００のそれぞれに固定映像処理部が備えられて、ソース機器から固定フォーマットで映像を伝送し、ディスプレイ機器４００で固定フォーマットで映像を受信することによって、ソース機器３００とディスプレイ機器４００との間の映像フォーマット、または品質水準を一致させるためのハンドシェイク過程を除去することができる。
【符号の説明】
【００５０】
１００…第１無線映像接続装置、２００…第２無線映像接続装置、３００…ソース機器、４００…ディスプレイ機器
【図１】
2019176374.tif 000003
【図２】
2019176374.tif 000004
【図３】
2019176374.tif 000005
【図４】
2019176374.tif 000006
【図５】
2019176374.tif 000007
【図６】
2019176374.tif 000008
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
ソース機器の映像を無線で伝送する第１無線映像接続装置と、映像を受信し、ディスプレイ機器へ伝送する第２無線映像接続装置とを備える無線映像接続装置において、
前記第１無線映像接続装置は、
ソース機器の原本映像を受信する第１固定映像処理部と、
原本映像の品質水準を調節して変換映像を生成する映像変換部と、
前記原本映像、または前記変換映像を無線で伝送する第１高速通信部と、
前記第２無線映像接続装置からチャンネル状態の情報を受信する第１低速通信部と、
前記チャンネル状態の情報に対応して映像変換部の動作を制御する映像送信制御部とを備え、ディスプレイ機器における映像切れを防止し、
前記映像送信制御部は、チャンネル状態の情報に含まれたチャンネル状態の測定値と、チャンネル状態による基準値とを比較し、原本映像の品質水準を決定し、
更に、前記映像送信制御部は、チャンネル状態の測定値と基準値とを比較して、映像変換部の動作、ビームフォーミングおよびダイバーシティ動作、そして送信パワー動作のうち、１つ以上の遂行可否を決定し、
前記基準値は、原本映像伝送の基準となる第１基準値と、変換映像伝送の基準となる第２基準値と、ビームフォーミングおよびダイバーシティ動作遂行の基準となる第３基準値とから構成されるが、
前記第１基準値ないし前記第３基準値は、段階別の送信パワーを調節するのに基準となる値であることを特徴とする、無線映像接続装置。
【請求項２】
前記映像変換部は、原本映像の解像度（ｒｅｓｏｌｕｔｉｏｎ）や、再生率（ｒｅｆｒｅｓｈ  ｒａｔｅ）、色深度（ｃｏｌｏｒ  ｄｅｐｔｈ）および色フォーマット（ｃｏｌｏｒ  ｆｏｒｍａｔ）のうち、１つ以上を、決定された品質水準に調節して変換映像を生成することを特徴とする、請求項１に記載の無線映像接続装置。
【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
ソース機器の映像を無線で伝送する第１無線映像接続装置と、映像を受信し、ディスプレイ機器へ伝送する第２無線映像接続装置とを備える無線映像接続装置において、
前記第１無線映像接続装置は、
ソース機器の原本映像を受信する第１固定映像処理部と、
原本映像の品質水準を調節して変換映像を生成する映像変換部と、
前記原本映像、または前記変換映像を無線で伝送する第１高速通信部と、
前記第２無線映像接続装置からチャンネル状態の情報を受信する第１低速通信部と、
前記チャンネル状態の情報に対応して映像変換部の動作を制御する映像送信制御部とを備え、ディスプレイ機器における映像切れを防止し、
前記映像送信制御部は、チャンネル状態の情報に含まれたチャンネル状態の測定値と、チャンネル状態による基準値とを比較し、原本映像の品質水準を決定し、
更に、前記映像送信制御部は、チャンネル状態の測定値と基準値とを比較して、映像変換部の動作、ビームフォーミングおよびダイバーシティ動作、そして送信パワー動作のうち、１つ以上の遂行可否を決定し、
前記基準値は、原本映像伝送の基準となる第１基準値と、変換映像伝送の基準となる第２基準値と、ビームフォーミングおよびダイバーシティ動作遂行の基準となる第３基準値とから構成されるが、
前記第１基準値ないし前記第３基準値は、段階別の送信パワーを調節するのに基準となる値であることを特徴とする、無線映像接続装置。
【請求項２】
前記映像変換部は、原本映像の解像度（ｒｅｓｏｌｕｔｉｏｎ）や、再生率（ｒｅｆｒｅｓｈ  ｒａｔｅ）、色深度（ｃｏｌｏｒ  ｄｅｐｔｈ）および色フォーマット（ｃｏｌｏｒ  ｆｏｒｍａｔ）のうち、１つ以上を、決定された品質水準に調節して変換映像を生成することを特徴とする、請求項１に記載の無線映像接続装置。
【請求項３】
ソース機器の映像を無線で伝送する第１無線映像接続装置と、映像を受信し、ディスプレイ機器へ伝送する第２無線映像接続装置とを備える無線映像接続装置において、
前記第２無線映像接続装置は、
ソース機器の原本映像、または原本映像の映像品質が調節された変換映像を受信する第２高速通信部と、
前記変換映像を原本映像のフォーマットに復元する映像復元部と、
前記原本映像、または前記映像復元部でフォーマットが復元された復元映像をディスプレイ機器へ伝送する第２固定映像処理部と、
前記第１無線映像接続装置から映像フォーマットの情報を受信する第２低速通信部と、
前記映像フォーマットの情報に対応して、映像復元部の動作を制御する映像受信制御部とを備え、
前記映像受信制御部は、前記第２高速通信部の受信強度及び映像のビット誤り率を用いてチャンネル状態の情報を生成し、第２低速通信部はチャンネル状態の情報を無線で伝送することが出来、
前記第１無線映像接続装置は、
原本映像の品質水準を調節して変換映像を生成する映像変換部と、前記チャンネル状態の情報に対応して前記映像変換部の動作を制御する映像送信制御部を備え、
前記映像送信制御部は、チャンネル状態の情報に含まれたチャンネル状態の測定値と、チャンネル状態による基準値とを比較して、前記映像変換部の動作、ビームフォーミングおよびダイバーシティ動作、そして送信パワーの調整動作の中で一つ以上の遂行可否を決定し、
前記基準値は、原本映像伝送の基準となる第１基準値と、変換映像伝送の基準となる第２基準値と、ビームフォーミングおよびダイバーシティ動作遂行の基準となる第３基準値とから構成されるが、
前記第１基準値ないし前記第３基準値は、段階別の送信パワーを調節するのに基準となる値であることを特徴とする、
ディスプレイ機器における映像切れを防止することを特徴とする、無線映像接続装置。
【請求項４】
前記映像受信制御部は、チャンネル環境に対応して、原本映像や復元映像、メモリーに保存されている停止画面、または前のフレーム画面のうち、１つをディスプレイ機器へ伝送するように制御することを特徴とする、請求項３記載の無線映像接続装置。